(57)【要約】【課題】脚長効果を有しつつも、ヒップの形が自然で、かつ動いたときにもヒップへの違和感が少ないパンツを提供すること。【解決手段】パンツ裏地側のガードル部分の臀部側に、臀部側別布を設けたパンツであって、前記臀部側別布は、上部編物片７１と下部編物片７２とからなり、前記上部編物片７１及び前記下部編物片７２は、それぞれ一方の脇縫い目２から臀部側を通って他方の脇縫い目２に延びる編物片であり、前記上部編物片７１は、パンツの腰帯４及び脇縫い目２でパンツ本体生地に縫いこまれており、前記下部編物片７２は、脇縫い目２及び股ぐりでパンツ本体生地に縫いこまれており、前記上部編物片７１と前記下部編物片７２とが、両側脇縫い目付近で重なり合う部分を有しており、前記上部編物片７１と前記下部編物片７２との縦方向の重なり幅は、臀部側から両方の脇縫い目２に向かって広くしたパンツとすること。【選択図】図３
2007107129.tif 000002
【特許請求の範囲】
【請求項１】
パンツ裏地側のガードル部分の臀部側に、臀部側別布を設けたパンツであって、
前記臀部側別布は、上部編物片と下部編物片とからなり、
前記上部編物片及び前記下部編物片は、それぞれ一方の脇縫い目から臀部側を通って他方の脇縫い目に延びる編物片であり、
前記上部編物片は、パンツの腰帯及び脇縫い目でパンツ本体生地に縫いこまれており、
前記下部編物片は、脇縫い目及び股ぐりでパンツ本体生地に縫いこまれており、
前記上部編物片と前記下部編物片とが、両側脇縫い目付近で重なり合う部分を有しており、
前記上部編物片と前記下部編物片との縦方向の重なり幅は、臀部側から両方の脇縫い目に向かって広くなることを特徴とする
パンツ。
【請求項２】
前記下部編物片の上縁が、ヒップトップラインよりも上方に位置する請求項１記載のパンツ。
【請求項３】
前記臀部側別布に加えて、パンツ裏地側のガードル部分のフロント側に、フロント側別布を設けたパンツであって、
前記フロント側別布は、右上編物片、右下編物片、左上編物片及び左下編物片からなり、
前記右上編物片、右下編物片、左上編物片及び右下編物片は、それぞれ脇縫い目からフロント縫い目へ向かって延び、脇縫い目及びフロント縫い目でパンツ本体生地に縫いこまれている略帯状の編物片であり、
前記右上編物片及び左上編物片は、脇縫い目からフロント縫い目方向に向かって高さが下がるように配置され、
前記右下編物片及び左下編物片は、脇縫い目からフロント縫い目方向に向かって高さが上がるように配置され、
前記右上編物片と右下編物片は、フロント縫い目付近で、重なり合っている部分を有し、
前記左上編物片と左下編物片は、フロント縫い目付近で、重なり合っている部分を有することを特徴とする
請求項１または２に記載のパンツ。
【請求項４】
前記編物片がトリコット生地である請求項１〜３のいずれかの項に記載されたパンツ。
【発明の詳細な説明】
【技術分野】
【０００１】
本発明は、穿くことで、ヒップアップ効果があり、脚を長く見せる効果のあるパンツに関する。
【背景技術】
【０００２】
従来、脚を長く見せる効果を有するパンツが存在し、その手法はいくつかのタイプが存在する。例えば、パンツの膝の絞りを普通のパンツより上方に設けるたり、ひざの位置を実際よりも少し上方に設けたりすることで、視覚的効果で脚長に見せる手法がある。
【０００３】
また、パンツ裏側に、ヒップを持ち上げるための生地を付加し、その生地によりヒップを持ち上げることによって、ヒップ位置を高くし、脚長に見せる手法もある。特許文献1では、スラックスに、伸縮性織編布地をＶ字状の左右帯体に形成し、該左右帯体の中央交差線の谷底を内股上方箇所で且つヒップトップラインと同等若しくはそれより下方となる配置状態にして、該帯体の左右側端縁を左右身頃地の脇線及び又はウエストラインに縫着させたスラックスとすることで、ヒップ部の贅肉をヒップラインに沿って下側から確と支えるようにして上方へ持ち上げることができる技術が開示されている。
【特許文献１】特開２００３−２６８６０６
【０００４】
しかし、上記手法では、ヒップアップ効果はあるものの、ヒップ部の贅肉を無理に上方に持ち上げることになるため、ピップの形状が不自然になっていた。また上記伸縮性織編布地がヒップを引っ張るため、このスラックスを穿いていると、着衣者が動いた際、ヒップに違和感を感じるものとなっていた。
【発明の開示】
【発明が解決しようとする課題】
【０００５】
そこで本発明では、パンツ裏側に設けた生地でヒップを持ち上げる手法による脚長効果を有しつつも、ヒップの形が自然で、かつ動いたときにもヒップへの違和感が少ないパンツを提供しようとするものである。
【課題を解決するための手段】
【０００６】
本発明は、パンツ裏地側のガードル部分の臀部側に、臀部側別布を設けたパンツの発明であって、
前記臀部側別布は、上部編物片と下部編物片とからなり、
前記上部編物片及び前記下部編物片は、それぞれ一方の脇縫い目から臀部側を通って他方の脇縫い目に延びる編物片であり、
前記上部編物片は、パンツの腰帯及び脇縫い目でパンツ本体生地に縫いこまれており、
前記下部編物片は、脇縫い目及び股ぐりでパンツ本体生地に縫いこまれており、
前記上部編物片と前記下部編物片とが、両側脇縫い目付近で重なり合う部分を有しており、
前記上部編物片と前記下部編物片との縦方向の重なり幅は、臀部側から両方の脇縫い目に向かって広くなることを主要な特徴とする。
【発明の効果】
【０００７】
本発明のパンツによれば、臀部側別布がヒップを包み込みながら優しく持ち上げるので、ピップアップ効果を有しつつ、ヒップの形を不自然に崩すことがない。
【０００８】
また、臀部側別布を上部編物片と下部編物片に分けたことで、動作時には適度に両者がずれて動くので、着衣者が動いてもヒップへの違和感が少なく、ヒップの形も動作に従って自然に整えられる。
【０００９】
更に股ぐりで表生地と縫い付けられている下部編物片が、内股を引き締める効果を有するので、太ももがすっきり見える。
【００１０】
また、パンツ裏側のガードル部分のフロント側に、フロント側別布を設けた様態においては、上記ヒップアップ効果に加え、下腹を程よく抑える効果をも有するので、上記ピップアップの効果が、相対的に強調される相乗的な効果を有する。
【発明を実施するための最良の形態】
【００１１】
以下、図を用いて本発明を詳説するが、本発明は、図示した様態に限られるものではない。なお本発明の説明において図示したものは、特に断りをしなくとも全てパンツを裏地側から表したものである。
【００１２】
本発明において、パンツという語は、スラックス、ジーンズの総称を意味する。また本発明で用いる別布（臀部側別布、フロント側別布）には編物を用いる。編物であれば一定以上の伸縮性を有するからである。具体的には、リブ編み、ゴム編み、ダブル編み等の丸編、トリコット編み、ラッセル編み等の縦編、横編を挙げることができる。なかでも伸縮性に富み、肌触りが良く、肌着としても好適なトリコット編みを用いた編物片が好ましい。
【００１３】
（第一の発明）
図１〜図６は、第一の発明のパンツを示したものである。図１はパンツ全体を示す臀部側概略図、図２はパンツ全体を示す右側面側概略図である。図３は、パンツのガードル部（要部）を示す右側面側概略図、図４は、パンツのガードル部を示す臀部側概略図、図５は、図３の様態にける臀部側別布７の上部編物片７１の位置を斜線部で示す説明図であり、図６は、図３の様態にける臀部側別布７の下部編物片７２の位置を斜線部で示す説明図である。
【００１４】
第一の発明は、パンツ裏地側のガードル部分の臀部側に、臀部側別布７を設けたパンツである。臀部側別布７は、上部編物片７１と下部編物片７２との少なくとも２枚からからなるものであるが、付加的に他の編物片を具備することを禁ずるものではない。上部編物片７１及び下部編物片７２は、それぞれ一方の脇縫い目２から臀部側を通って他方の脇縫い目２に延びる横長の編物片である。このうち上部編物片７１は、パンツの腰帯４及び脇縫い目２でパンツ本体生地に縫いこまれており、一方、下部編物片７２は、脇縫い目２及び股ぐり５でパンツ本体生地に縫いこまれている。すなわち、上部編物片７１の下縁、下部編物片７２の上縁と腰股ぐり５を除く下縁はパンツ本体生地には縫いこまれていない。図３〜４では、上部編物片７１及び下部編物片７２のパンツ本体生地の縫いこみ位置９を斜線で示した。
【００１５】
上部編物片７１と下部編物片７２とは、脇縫い目２付近で重なり合う部分を有している。上記のような縫込み位置にしたうえで、この様な重なりあいの部分を設けると着衣者のヒップの形を自然に整えることができる。かかる効果を効率的に行うためには、重なり合いの部分の縦方向重なり幅が、脇縫い目２の部位で、５〜１０ｃｍ程度であることが好ましい。重なり部位においては、上部編物片７１と下部編物片７２のいずれを上側にしてもよい。図１〜４では、下部編物片７２を上側にして重なり合っている様態を例示した。
【００１６】
一方、臀部付近では、図１〜４に示したように、両者が重ならない様態にすることもできるが、両者が重なった様態にもすることもできる。ただし、両者の縦方向の重なり幅は、臀部側から両方の脇縫い目２に向かって徐々に広くなるものとする。この様にすることで、着衣者の動作の激しさ拘らず、ヒップの形状を自然に整えられる。
【００１７】
なおこの際、下部編物片７２の上縁は、ヒップトップラインよりも上方に位置することが好ましい。下部編物片７２の上縁が、ヒップトップラインよりも下方にある場合には、下部編物片７２がヒップ全体を包み込むことができないので、ヒップ形状が不自然になりやすくなるからである。ただし部編物片の上縁がヒップトップラインよりも下方に位置する場合であっても、本発明のパンツでは、下部編物片７２と重なり合う部分を有する上部編物片７１が存在するため、その重なり合いの幅をより広くとることによって、ヒップ形状の不自然さを解消することもできる。
【００１８】
（第二の発明）
図７〜図９は、第二の発明のパンツを示したものである。図７はパンツ全体を示すフロント側概略図、図８はパンツ全体を示す右側面側概略図である。図９は、パンツのガードル部（要部）を示す右側面側概略図である。
【００１９】
第二の発明は、下腹を抑える効果を発揮することで、視覚的に第一の発明によるヒップアップ効果を更に相乗的に高める発明であり、第一の発明の臀部側別布７に加え、パンツ裏地側のガードル部分のフロント側に、フロント側別布８を設けたパンツである。フロント側別布８は、右上編物片８１、右下編物片８２、左上編物片８３及び左下編物片８４の少なくとも４枚からからなるものであるが、付加的に他の編物片を具備することを禁ずるものではない。
【００２０】
右上編物片８１、右下編物片８２、左上編物片８３及び左下編物片８４は、それぞれ脇縫い目２から脇フロント縫い目３へ向かって延び、脇縫い目２及び脇フロント縫い目３でパンツ本体生地に縫いこまれている略帯状の編物片である。右上編物片８１及び左上編物片８３は、脇縫い目２からフロント縫い目３方向に向かって高さが下がるように配置される。その一方、右下編物片８２及び左下編物片８４は、脇縫い目２からフロント縫い目３方向に向かって高さが上がるように配置される。図９では、右上編物片８１及び右下編物片８２のパンツ本体生地の縫いこみ位置９を斜線で示した。
【００２１】
そして、右上編物片８１と左上編物片８３、及び右下編物片８２と左下編物片８４は、脇フロント縫い目３付近で重なり合っている部分を有するものである。すなわち、図７のように、第二の発明のパンツをフロント側から見た場合、見かけ上、一方の脇縫い目２から脇フロント縫い目３を通って他方の脇縫い目２に延びる２つの帯状編物片が、脇フロント縫い目３部分にて交差しているように見えることになる。
【００２２】
右上編物片８１と右下編物片８２の脇フロント縫い目３付近の重なり合い、及び左上編物片８３と左下編物片８４の脇フロント縫い目３付近重なり合いは、それぞれどちらの編物片が上側であってもよい。図７〜９では、右上編物片８１及び左上編物片８３が上側である様態を示した。
【図面の簡単な説明】
【００２３】
【図１】第一発明のパンツ裏地側の臀部側概略図である。
【図２】第一発明のパンツ裏地側の右側面側概略図である。
【図３】第一発明のパンツ裏地側のガードル部を示す右側面側概略図である。
【図４】第一発明のパンツ裏地側のガードル部を示す臀部側概略図である。
【図５】図３の様態における上部編物片の位置を示す説明図である。
【図６】図３の様態における下部編物片の位置を示す説明図である。
【図７】第二発明のパンツ裏地側のフロント側概略図である。
【図８】第二発明のパンツ裏地側の右側面側概略図である。
【図９】第二発明のパンツ裏地側のガードル部を示す右側面側概略図である。
【符号の説明】
【００２４】
１                      パンツ
２                      脇縫い目
３                      フロント縫い目
４                      腰帯
５                      股ぐり
６                      ファスナー
７                      臀部側別布
７１                      上部編物片
７２                      下部編物片
８                      フロント側別布
８１                      右上編物片
８２                      右下編物片
８３                      左上編物片
８４                      左下編物片
９                      表生地との縫いこみ部位
【図１】
2007107129.tif 000003
【図２】
2007107129.tif 000004
【図３】
2007107129.tif 000005
【図４】
2007107129.tif 000006
【図５】
2007107129.tif 000007
【図６】
2007107129.tif 000008
【図７】
2007107129.tif 000009
【図８】
2007107129.tif 000010
【図９】
2007107129.tif 000011